(57)【特許請求の範囲】
【請求項１】
２本の信号線からなるバスに複数の通信装置を接続し、各通信装置には通信装置をバスに対して接続または切り離しを行う切替器を設け、切替器の切替により通信装置の間で通信を行うデータ通信システムにおいて、
２個の切替器の対応する端子どうしで接続する信号線を入れ替えたことを特徴とするデータ通信システム。
【請求項２】
２本の信号線からなるバスに複数の通信装置を接続し、各通信装置には通信装置をバスに対して接続または切り離しを行う切替器を設け、切替器の切替により通信装置の間で通信を行うデータ通信システムにおいて、
２個の切替器の対応する端子どうしで端子配列を入れ替えたことを特徴とするデータ通信システム。
【請求項３】
２本の信号線からなるバスに通信装置及びリピータを接続し、通信装置及びリピータにはこれらをバスに対して接続または切り離しを行う切替器を設け、切替器の切替により通信装置間または通信装置とリピータの間で通信を行うデータ通信ユニットを有し、前記リピータを介してデータ通信ユニットどうしを接続したデータ通信システムにおいて、
２個の切替器の対応する端子どうしで接続する信号線を入れ替えたことを特徴とするデータ通信システム。
【請求項４】
２本の信号線からなるバスに通信装置及びリピータを接続し、通信装置及びリピータにはこれらをバスに対して接続または切り離しを行う切替器を設け、切替器の切替により通信装置間または通信装置とリピータの間で通信を行うデータ通信ユニットを有し、前記リピータを介してデータ通信ユニットどうしを接続したデータ通信システムにおいて、
２個の切替器の対応する端子どうしで端子配列を入れ替えたことを特徴とするデータ通信システム。
【発明の詳細な説明】
【０００１】
【発明の属する技術分野】
本発明は、複数の信号線からなるバスを用いて通信装置の間でデータ伝送を行うデータ通信システムに関するものである。
【０００２】
【従来の技術】
図５は従来におけるデータ通信システムの構成例を示した図である。
図５で、データバス１０は複数の信号線からなる。データバス１０には通信装置２０，３０，４０が接続されている。通信装置２０には論理部２１と切替器２２が設けられている。論理部２１はデータ伝送のための論理的処理を行う。切替器２２は通信装置２０をデータバス１０に対して接続または切り離しを行う。他の通信装置３０，４０も通信装置２０と同様な構成になっている。
【０００３】
このデータ通信システムでは、データを高速に伝送するためにデータバス１０の信号線を複数本にしている。
また、通信を行う通信装置をデータバスに接続するために切替器が設けられている。例えば、通信装置２０が通信装置３０及び４０と通信を行う場合は、通信装置２０，３０，４０の切替器が通信装置をデータバス１０に接続する。通信装置２０が通信装置３０と通信を行う場合は、通信装置２０，３０の切替器が通信装置をバスに接続する。
この切替器は、例えば、トランシーバ、ドライバ、レシーバ、バススイッチ等で構成されている。切替器は、通常、複数の回路を１個のデバイスに内蔵した構成になっている。
【０００４】
データバス１０を構成する各信号線の信号にはデータ伝送の遅延時間差が生じる。各信号に遅延時間差が生じる要因の１つとして、切替器の端子毎に遅延時間が異なることがある。このことを説明する。
【０００５】
図６は切替器に信号線が接続された状態を示した図である。
図６で、切替器５０には端子Ａ１，Ａ２，Ｂ１，Ｂ２が設けられている。端子Ａ１，Ａ２には信号線６１，６２がそれぞれ接続され、端子Ｂ１，Ｂ２には信号線６３，６４がそれぞれ接続されている。端子Ａ１，Ａ２から入力されたデータは切替器５０内を通って端子Ｂ１，Ｂ２から出力される。端子Ａ１と端子Ｂ１の間に生じる遅延時間と、端子Ａ２と端子Ｂ２の間に生じる遅延時間とが異なる。これによって、各信号に遅延時間差が生じる。
【０００６】
この遅延時間差は、切替器の次のことが原因となっている。
・リードの違い
・ボンディングワイヤの違い
・チップのレイアウトの違い
・内部素子のばらつき
この遅延時間差がデータ伝送速度を上げるうえでの阻害要因になっていた。
【０００７】
【発明が解決しようとする課題】
本発明は上述した問題点を解決するためになされたものであり、２個の切替器の対応する端子どうしで接続する信号線を入れ替えることによって、切替器の端子間の遅延時間差を除去し、データ転送速度を向上したデータ通信システムを実現することを目的とする。
【０００８】
【課題を解決するための手段】
本発明は次のとおりの構成になったデータ通信システムである。
【０００９】
（１）２本の信号線からなるバスに複数の通信装置を接続し、各通信装置には通信装置をバスに対して接続または切り離しを行う切替器を設け、切替器の切替により通信装置の間で通信を行うデータ通信システムにおいて、
２個の切替器の対応する端子どうしで接続する信号線を入れ替えたことを特徴とするデータ通信システム。
【００１０】
（２）２本の信号線からなるバスに複数の通信装置を接続し、各通信装置には通信装置をバスに対して接続または切り離しを行う切替器を設け、切替器の切替により通信装置の間で通信を行うデータ通信システムにおいて、
２個の切替器の対応する端子どうしで端子配列を入れ替えたことを特徴とするデータ通信システム。
【００１１】
（３）２本の信号線からなるバスに通信装置及びリピータを接続し、通信装置及びリピータにはこれらをバスに対して接続または切り離しを行う切替器を設け、切替器の切替により通信装置間または通信装置とリピータの間で通信を行うデータ通信ユニットを有し、前記リピータを介してデータ通信ユニットどうしを接続したデータ通信システムにおいて、
２個の切替器の対応する端子どうしで接続する信号線を入れ替えたことを特徴とするデータ通信システム。
【００１２】
（４）２本の信号線からなるバスに通信装置及びリピータを接続し、通信装置及びリピータにはこれらをバスに対して接続または切り離しを行う切替器を設け、切替器の切替により通信装置間または通信装置とリピータの間で通信を行うデータ通信ユニットを有し、前記リピータを介してデータ通信ユニットどうしを接続したデータ通信システムにおいて、
２個の切替器の対応する端子どうしで端子配列を入れ替えたことを特徴とするデータ通信システム。
【００１３】
【発明の実施の形態】
以下図面を用いて本発明を詳しく説明する。
図１は本発明の一実施例を示す構成図である。図１で図５と同一のものは同一符号を付ける。
図１で、データバス７０は複数の信号線からなる。データバス７０は、複数の切替器の対応する端子どうしで接続する信号線を入れ替えている。
【００１４】
図２及び図３は信号線の具体的な接続例を示した図である。
図２で、論理部２１と切替器２２は通信装置２０内の信号線２３，２４により接続されている。切替器２２の端子Ｃ１及びＣ２は信号線２３及び２４にそれぞれ接続されている。端子Ｄ１及びＤ２には信号線７１及び７２がそれぞれ接続されている。
【００１５】
図３で、論理部３１と切替器３２は通信装置３０内の信号線３３，３４により接続されている。切替器３２の端子Ｅ１及びＥ２は信号線３４及び３３にそれぞれ接続されている。信号線３４，３３は入れ替えて端子Ｅ１，Ｅ２に接続されている。端子Ｆ１，Ｆ２には信号線７２，７１が接続されている。信号線７２，７１も入れ替えて端子Ｆ１，Ｆ２に接続されている。
【００１６】
切替器２２と３２は同じ種類のデバイスを使用している。切替器２２の端子Ｃ１，Ｃ２，Ｄ１，Ｄ２は、切替器３２の端子Ｅ１，Ｅ２，Ｆ１，Ｆ２にそれぞれ対応している。
【００１７】
図２及び図３に示す接続で通信装置２０から３０にデータを伝送する場合について説明する。
通信装置２０では、論理部２１が送信したデータ信号ＬＳＩＧ０は、切替器２２の端子Ｃ１に入力され、端子Ｄ１を経て信号ＳＩＧ０として信号線７１へ送られる。
通信装置３０では、信号ＳＩＧ０は切替器３２の端子Ｆ２，Ｅ２を経て信号ＭＳＩＧ０として論理部３１に送られ、受信される。
【００１８】
同様に、通信装置２０では、論理部２１が送信したデータ信号ＬＳＩＧ１は、切替器２２の端子Ｃ２に入力され、端子Ｄ２を経て信号ＳＩＧ１として信号線７２へ送られる。
通信装置３０では、信号ＳＩＧ１は切替器３２の端子Ｆ１，Ｅ１を経て信号ＭＳＩＧ１として論理部３１に送られ、受信される。
【００１９】
切替器２２の端子Ｃ１，Ｄ１間の遅延時間と切替器３２の端子Ｅ１，Ｆ１間の遅延時間をＴ１、切替器２２の端子Ｃ２，Ｄ２間の遅延時間と切替器３２の端子Ｅ２，Ｆ２間の遅延時間をＴ２とする。
信号線７１，７２は入れ替えて切替器３２の端子に接続しているため、切替器２２，３２での遅延時間はどちらの信号でも（Ｔ１＋Ｔ２）で等しい。
これによって、端子Ｃ１，Ｄ１間の遅延時間と端子Ｃ２，Ｄ２間の遅延時間の差、及び、端子Ｅ１，Ｆ１間の遅延時間と端子Ｅ２，Ｆ２間の遅延時間の差を打ち消すことができる。
【００２０】
図４は本発明の他の実施例を示す構成図である。
図４で、通信ユニット１００と２００がリピータを介して接続されている。
通信ユニット１００で、データバス１１０は複数の信号線からなる。データバス１１０に通信装置１２０，１３０及びリピータ１４０が接続されている。通信装置１２０には論理部１２１と切替器１２２が設けられている。論理部１２１と切替器１２２は図１の論理部２１と切替器２２と同様な構成になっている。リピータ１４０には論理部１４１と切替器１４２，１４３が設けられている。論理部１４１と切替器１４２，１４３は論理部２１と切替器２２と同様な構成になっている。
【００２１】
通信ユニット２００にもデータバス２１０、通信装置２２０，２３０、リピータ２４０が設けられていて、通信ユニット１００と同様な構成になっている。
データバス３００はリピータ１４０と２４０を介して通信ユニット１００と２００を接続する。
【００２２】
図４の実施例の動作を説明する。
通信装置１２０から通信装置２２０にデータ伝送する場合について説明する。論理部１２１は切替器１２２を介してデータバス１１０にデータ信号を出力する。
データバス１１０に出力されたデータ信号は、リピータ１４０内の切替器１４２、論理部１４１、切替器１４３を介してデータバス３００に出力される。
データバス３００に出力されたデータ信号は、リピータ２４０内の切替器２４３、論理部２４１、切替器２４２を介してデータバス２１０に出力される。
データバス２１０に出力されたデータ信号は、通信装置２２０に送られ、通信装置２２０内の切替器２２２を介して論理部２２１で受信される。
【００２３】
図４のシステムで、下記の切替器については同じ種類の切替器を使用し、切替器の対応する端子どうしで接続する信号線を入れ替える。
▲１▼切替器１２２と切替器２４２
▲２▼切替器１４２と切替器２２０
▲３▼切替器１４３と切替器２４３
これによって、切替器の端子間の遅延時間差は打ち消される。
【００２４】
なお、実施例では、２個の切替器の対応する端子どうしで接続する信号線を入れ替えた場合について説明したが、信号線は入れ替えずに端子配列を入れ替えてもよい。
【００２５】
また、実施例ではデータバスを引いた例を説明したが、データバスに限らず他のバス、例えばアドレスバス等を引いてもよい。
【００２７】
【発明の効果】
本発明によれば次の効果が得られる。
【００２８】
請求項１の発明によれば、２個の切替器の対応する端子どうしで接続する信号線を入れ替えている。これによって、切替器の端子間の遅延時間差を除去し、データ伝送速度を向上させることができる。
【００２９】
請求項２の発明によれば、信号線の入れ替えを行わずに切替器の端子配列を入れ替えることによって、切替器の端子間の遅延時間差を除去し、データ伝送速度を向上させることができる。
【００３０】
請求項３及び請求項４の発明によれば、リピータを用いたデータ通信システムにおいて、リピータや通信装置にある切替器の端子間の遅延時間差を除去し、データ伝送速度を向上させることができる。これによって、既存の通信装置に大きな改造を施すことなく複数の通信ユニットを相互接続でき、システムの多様化を実現することができる。また、１つのシステムに多くの通信装置を接続できるため、トータルコストを削減できる。
【００３１】
以上説明したように本発明によれば、切替器の端子間の遅延時間差を除去し、データ伝送速度を向上させられるデータ通信システムを実現できる。
【図面の簡単な説明】
【図１】本発明の一実施例を示す構成図である。
【図２】信号線の具体的な接続例を示した図である。
【図３】信号線の具体的な接続例を示した図である。
【図４】本発明の他の実施例を示す構成図である。
【図５】従来におけるデータ通信システムの構成例を示した図である。
【図６】従来における切替器に信号線が接続された状態を示した図である。
【符号の説明】
２０，３０，４０，１２０，１３０，２２０，２３０  通信装置
２２，３２，１２２，１４２，１４３，２２２，２４２，２４３  切替器
７０，１１０，２１０，３００  データバス
７１，７２  信号線
１４０，２４０  リピータ
Ｃ１，Ｃ２，Ｄ１，Ｄ２，Ｅ１，Ｅ２，Ｆ１，Ｆ２  端子
【図１】
0003675228.tif 000002
【図２】
0003675228.tif 000003
【図３】
0003675228.tif 000004
【図４】
0003675228.tif 000005
【図５】
0003675228.tif 000006
【図６】
0003675228.tif 000007